(57)【要約】【課題】  剥離シートに接着剤が残留しても、剥離シートを回収する途中で接着剤を除去することができ、剥離シートの絡み付きに起因した動作不良を未然に防止すること。【解決手段】剥離シートＲＬにラベルＬが仮着されたロール状の原反Ｒを支持する支持手段１１と、前記ラベルＬを剥離シートＲＬから剥離する剥離手段１２と、ラベルＬを被着体Ｗに押圧する押圧手段１３と、原反Ｒに繰出力を付与する繰出手段１４、ラベル剥離後の剥離シートＲＬ上に残る接着剤Ａを回収する接着剤除去装置１５と、剥離シートＲＬを巻き取る回収手段１６とを備える。接着剤除去装置１５は、剥離シートＲＬのラベル仮着面側に接する除去ローラ３５を含み、当該除去ローラ３５は、ピンチローラ３１よりも原反繰出方向上流側に配置されている。【選択図】図１
2008207837.tif 000002
【特許請求の範囲】
【請求項１】
帯状の剥離シートにラベルが仮着された原反を繰出手段を介して繰り出すとともに、その繰り出しの過程で剥離手段によってラベルが剥離された剥離シート上に残留する接着剤を除去する接着剤除去装置であって、
前記剥離シートのラベル仮着面に作用する作用手段を配置して前記残留接着剤を除去することを特徴とする接着剤除去装置。
【請求項２】
前記作用手段は除去ローラにより構成され、当該除去ローラは、前記繰出手段を構成する駆動ローラとの間に前記剥離シートを挟み込むことを特徴とする請求項１記載の接着剤除去装置。
【請求項３】
前記作用手段は除去ローラにより構成され、当該除去ローラは、駆動手段を介して回転及び／又は回転方向が制御可能に設けられていることを特徴とする請求項１又は２記載の接着剤除去装置。
【請求項４】
前記除去ローラは、当該除去ローラの軸線方向に進退可能に設けられていることを特徴とする請求項２又は３記載の接着剤除去装置。
【請求項５】
帯状の剥離シートにラベルが仮着された原反を繰り出す過程で前記ラベルを剥離し、剥離シート上に残留する接着剤を除去する接着剤除去方法であって、
前記剥離シートのラベル仮着面に作用して前記残留接着剤を除去することを特徴とする接着剤除去方法。
【請求項６】
帯状の剥離シートにラベル若しくは帯状のラベル基材が仮着されたロール状の原反を繰出可能に支持する支持手段と、前記原反を繰り出す過程で前記ラベル若しくはラベル基材に切り込みを設けて形成されるラベルを前記剥離シートから剥離する剥離手段と、前記剥離シートを挟み込んで前記原反に繰出力を付与する駆動ローラ及びピンチローラを含む繰出手段とを備えたラベル貼付装置において、
前記ラベルの剥離位置よりも原反の繰出方向下流側に、前記剥離シート上に残留した接着剤を除去する接着剤除去装置を配置したことを特徴とするラベル貼付装置。
【請求項７】
前記接着剤除去装置は除去ローラを含み、当該除去ローラは、前記繰出手段を構成する駆動ローラとの間に前記剥離シートを挟み込むことを特徴とする請求項６記載のラベル貼付装置。
【請求項８】
前記接着剤除去装置は除去ローラを含み、当該除去ローラは、駆動手段を介して回転及び／又は回転方向が制御可能に設けられていることを特徴とする請求項６又は７記載のラベル貼付装置。
【請求項９】
前記除去ローラは、当該除去ローラの軸線方向に進退可能に設けられていることを特徴とする請求項７又は８記載のラベル貼付装置。
【発明の詳細な説明】
【技術分野】
【０００１】
本発明は接着剤除去装置及びその方法並びにラベル貼付装置に係り、特に、ラベルを剥離した後の剥離シート上に接着剤が残留しても、当該接着剤を除去することができる接着剤除去装置及びその方法と、これを用いたラベル貼付装置に関する。
【背景技術】
【０００２】
公知のラベル貼付装置は、剥離シートにラベルが仮着された原反を支持手段に繰出可能に支持し、当該支持手段から原反を繰り出す途中で剥離シートからラベルを剥離して当該ラベルを被着体に貼付する構成となっている。ここで、原反の繰出力は、駆動ローラとピンチローラとからなる繰出手段によって付与され、ラベルが剥離された後の剥離シートは、巻取ローラ等からなる回収手段で巻き取って回収される構成となっている（例えば、特許文献１参照）。
【０００３】
【特許文献１】特開２００５−２８０８２０号公報
【発明の開示】
【発明が解決しようとする課題】
【０００４】
しかしながら、一般的な剥離シートは、ラベルが剥離されたときに、接着剤がその表面に残らないように表面処理（剥離処理等）が施されているものの、ラベルの型抜き時にその外輪部の接着剤が剥離シートの表面処理層よりも深く入り込んでしまっている場合が多く、ラベルが剥離されてもその外輪に沿った接着剤が剥離シート側に残留してしまう。このような残留接着剤がピンチローラの外周面に付着することで剥離シートがピンチローラに絡みついて動作不良をもたらす、という不都合がある。
【０００５】
すなわち、図５に示されるように、剥離シートＲＬにラベルＬが仮着された原反Ｒは、繰出装置を構成する駆動ローラ６０とピンチローラ６１との間に剥離紙ＲＬを挟み込んで繰出可能とされており、ラベルＬが剥離された後の剥離シートＲＬは、巻取軸６３によって巻き取って回収される。
従って、ラベルＬが剥離された後の剥離シートＲＬに接着剤Ａが残留したときに、その接着剤Ａがピンチローラ６１の外周面に付着してしまい、ピンチローラ６１を経過した後の剥離シートＲＬが、図中二点鎖線で示される本来の回収軌跡から外れ、ピンチローラ６１と駆動ローラ６０とに再び巻き込まれてしまう不都合を招来する。
ここで、巻取軸６３の巻取力を強くすれば上記問題は解決するが、ピンチローラ６１と巻取軸６３との間で剥離シートＲＬが切断されてしまい、回収不良を引き起こしてしまうという別の不都合を発生してしまう。
【０００６】
［発明の目的］
本発明は、このような不都合に着目して案出されたものであり、その目的は、剥離シートに接着剤が残留しても、剥離シートを回収する途中で接着剤を除去することができ、剥離シートの絡み付きに起因した動作不良を未然に防止することのできる接着剤除去装置及びその方法並びにラベル貼付装置を提供することにある。
【課題を解決するための手段】
【０００７】
前記目的を達成するため、本発明は、帯状の剥離シートにラベルが仮着された原反を繰出手段を介して繰り出すとともに、その繰り出しの過程で剥離手段によってラベルが剥離された剥離シート上に残留する接着剤を除去する接着剤除去装置であって、
前記剥離シートのラベル仮着面に作用する作用手段を配置して前記残留接着剤を除去する、という構成を採っている。
【０００８】
本発明において、前記作用手段は除去ローラにより構成され、当該除去ローラは、前記繰出手段を構成する駆動ローラとの間に前記剥離シートを挟み込む、という構成を採ることができる。
【０００９】
また、前記作用手段は除去ローラにより構成され、当該除去ローラは、駆動手段を介して回転及び／又は回転方向が制御可能に設けられる、という構成を採ることが好ましい。
【００１０】
更に、前記除去ローラは当該除去ローラの軸線方向に進退可能に設けられる、という構成を採ることもできる。
【００１１】
また、本発明は、帯状の剥離シートにラベルが仮着された原反を繰り出す過程で前記ラベルを剥離し、剥離シート上に残留する接着剤を除去する接着剤除去方法であって、前記剥離シートのラベル仮着面に作用して前記残留接着剤を除去する、という方法を採っている。
【００１２】
更に、本発明は、帯状の剥離シートにラベル若しくは帯状のラベル基材が仮着されたロール状の原反を繰出可能に支持する支持手段と、前記原反を繰り出す過程で前記ラベル若しくはラベル基材に切り込みを設けて形成されるラベルを前記剥離シートから剥離する剥離手段と、前記剥離シートを挟み込んで前記原反に繰出力を付与する駆動ローラ及びピンチローラを含む繰出手段とを備えたラベル貼付装置において、
前記ラベルの剥離位置よりも原反の繰出方向下流側に、前記剥離シート上に残留した接着剤を除去する接着剤除去装置を配置する、という構成を採っている。
【００１３】
前記ラベル貼付装置において、前記接着剤除去装置は、除去ローラを含み、当該除去ローラは、前記繰出手段を構成する駆動ローラとの間に前記剥離シートを挟み込む、という構成を採ることができる。
【００１４】
また、前記ラベル貼付装置における接着剤除去装置は、除去ローラを含み、当該除去ローラは、駆動手段を介して回転及び／又は回転方向が制御可能に設けられる、という構成を採ることができる。
【００１５】
更に、前記ラベル貼付装置において、前記除去ローラは当該除去ローラの軸線方向に進退可能に設けることもできる。
【発明の効果】
【００１６】
本発明によれば、剥離シートのラベル仮着面側に作用する作用手段を配置したから、当該作用手段によって残留接着剤を除去することにより、繰出力を付与する駆動ローラとピンチローラを経た剥離シートが再びそれらローラ間に巻き込まれて絡みついてしまうような不都合を回避することができる。
【００１７】
また、前記作用手段は除去ローラにより構成することができるので、簡易な構成によって接着剤の除去を行うことができる。
【００１８】
更に、除去ローラが駆動手段を介して回転及び／又は回転方向が制御可能に設けられた構成では、駆動ローラの回転に追従させてもよいし、当該駆動ローラの回転速度に対して回転速度差をもたせたり、回転方向を変えることにより、接着剤を効率良く取り除くことが可能となる。
【００１９】
また、除去ローラが軸線方向に進退可能であれば、剥離シートの繰り出し方向に対して横方向への力も加わり、残留接着剤の除去効率が向上するうえ、除去ローラの一部に接着剤が集中して付着するようなことがなくなるため、満遍なく残留接着剤が除去ローラ側に接して除去されるようになる。
【発明を実施するための最良の形態】
【００２０】
以下、本発明の実施の形態について図面を参照しながら説明する。
【００２１】
図１には、本実施形態に係るラベル貼付装置の概略正面図が示され、図２には、その概略斜視図が示されている。これらの図において、ラベル貼付装置１０は、略鉛直面内に位置する板状をなすフレームＦと、当該フレームＦに支持されるとともに、剥離シートＲＬの一方の面にラベルＬが仮着された原反Ｒのロールを繰出可能に支持する支持手段１１と、前記原反Ｒを繰り出す途中で剥離シートＲＬからラベルＬを剥離する剥離手段１２と、剥離シートＲＬから剥離されたラベルＬを、コンベヤ等からなる搬送路Ｐに沿って順次搬送される被着体Ｗに押圧する押圧手段１３と、前記原反Ｒに繰出力を付与する繰出手段１４と、前記ラベルＬが剥離された後の剥離シートＲＬに残留する接着剤を除去する接着剤除去装置１５と、前記剥離シートＲＬを巻き取って回収する回収手段１６とにより構成されている。ここで、図１におけるフレームＦの紙面手前側を前面とし、その反対側を背面ということとする。
【００２２】
前記支持手段１１は前記原反Ｒの中央部に位置する紙管２０内に挿通される支持軸２１を備えて構成され、前記剥離手段１２は原反Ｒの剥離シートＲＬを急激に反転させてラベルＬを剥離するピールプレート２３により構成されている。また、押圧手段１３は、図示しないアームを介して前記フレームＦに支持されたプレスローラ２４により構成されている。なお、前記支持軸２１とピールプレート２３との間におけるフレームＦの前面には、原反Ｒが掛け回されるガイドローラ２６、２７が配置されている。
【００２３】
前記繰出手段１４は、フレームＦの背面側に位置するモータＭ１と、このモータＭ１の出力軸に連結された駆動ローラ３０と、当該駆動ローラ３０との間に剥離シートＲＬを挟み込んで原反Ｒに繰出力を付与するピンチローラ３１とからなる。
【００２４】
前記接着剤除去装置１５は、前記駆動ローラ３０との間に剥離シートＲＬを挟み込む作用手段としての除去ローラ３５と、当該除去ローラ３５を駆動する駆動手段３６とを備えて構成されている。除去ローラ３５は、本実施形態では樹脂材料により形成されたものが採用されており、前記駆動ローラ３０とピンチローラ３１とによって剥離シートＲＬを挟み込む位置よりも、剥離シートの繰出方向上流側において、前記剥離シートＲＬのラベル仮着面に接する位置に配置されている。なお、特に限定されるものではないが、本実施形態では、除去ローラ３５は、剥離シートＲＬの繰り出される方向に回転（図１中右回転）するように設定されている。
【００２５】
前記駆動手段３６は、図３に示されるように、前記フレームＦの背面側に配置されたモータＭ２と、このモータＭ２の出力軸に固定された主動プーリ３８と、前記除去ローラ３５の支持軸３９に固定された従動プーリ４０と、これらプーリ３８、４０間に掛け回されたベルト４２と、前記モータＭ２、及び前記支持軸３９を軸受４３を介して支持するブラケット４４と、当該ブラケット４４の下面側に取り付けられたスライダ４６を図３中左右方向に移動可能な直動モータＭ３とを備えて構成され、直動モータＭ３は、前記フレームＦの背面側に取り付けられた受け部材５０に支持されている。
【００２６】
前記回収手段１６は巻取軸５２により構成され、前記繰出手段１４のモータＭ１にプーリ、ベルト等からなる連動機構を介して巻取方向に回転可能に設けられている。
【００２７】
次に、前記ラベル貼付装置の動作について説明する。
【００２８】
ロール状の原反Ｒを支持手段１１に支持させた状態で、原反Ｒのリード端を所定長さ引き出す。そして、ガイドローラ２６、２７を経てピールプレート２３に原反Ｒを掛け回し、駆動ローラ３０と除去ローラ３５との間及び駆動ローラ３０とピンチローラ３１との間に原反Ｒを挟み込んだ後、前記巻取軸５２に前記リード端を固定することで初期の掛け回し作業を完了する。
【００２９】
なお、上記原反の掛け回し時は、除去ローラ３５及びピンチローラ３１は、図示しないシフト機構を介して駆動ローラ３０から離間して通紙スペースを形成し、通紙作業を完了した後に初期位置に復帰して駆動ローラ３０との間に剥離シートＲＬを挟み込む。
【００３０】
次いで、図示しない操作機器の自動貼付スイッチをＯＮすることによって、モータＭ１、Ｍ２が駆動し、ピールプレート２６の所定位置にラベルＬが停止した状態でスタンバイ状態となる。
【００３１】
そして、搬送路Ｐを搬送される被着体Ｗを図示しないセンサで検出して、モータＭ１、Ｍ２が駆動されて原反Ｒを繰り出し、ラベルＬを剥離しつつ貼付動作が開始される。この繰り出しの際、モータＭ２は、モータＭ１よりも回転速度が遅く設定されており、除去ローラ３５の回転を相対的に遅延せしめて、駆動ローラ３０との間に接着剤を掻き取る抵抗が大きくなるように設定されている。
【００３２】
図４に示されるように、ピールプレート２３の先端でラベルＬが剥離された後の剥離シートＲＬのラベル仮着面側には、ラベルＬを剥離した際に、そのラベル外輪に沿って接着剤Ａが残留する場合がある（図４参照）。
このような接着剤Ａの残留が生じても、本実施形態によれば、前記除去ローラ３５が剥離シートＲＬのラベル仮着面側に摩擦抵抗を付与しつつ回転するため、除去ローラ３５の外周面に接着剤Ａが転着するように作用して当該接着剤Ａを前記ラベル仮着面から除去することとなる。
【００３３】
また、除去ローラ３５は、前記直動モータＭ３の駆動により、一定の周期若しくは連続的にその軸方向に進退するようになっており、これにより、除去ローラ３５における外周面の広域が接着剤Ａの転着領域となり、満遍なく残留接着剤が除去ローラに接して除去されるようになる。
【００３４】
従って、このような実施形態によれば、ラベルＬを剥離した後の剥離シートＲＬ上に接着剤Ａが残留しても、これが除去ローラ３５によって除去されるため、除去ローラ３５を通過した後の剥離シートＲＬに接着剤Ａが付随してしまうようなことがなくなり、ピンチローラ３１の外周面に剥離シートＲＬが絡みついて動作不良を生じさせる不都合を未然に防止することができ、装置全体の円滑な動作を確保してラベルＬの貼付効率を良好に維持することがきる、という従来にない優れた効果を奏するラベル貼付装置を提供することができる。
【００３５】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００３６】
例えば、前記実施形態では、駆動ローラ３１との間に剥離シートＲＬを挟み込む位置に除去ローラ３５を配置したが、本発明はこれに限定されるものではなく、ピールプレート２３の先端よりも繰出方向下流側であって、駆動ローラ３０よりも繰出方向上流側の領域にガイドローラを設け、当該ガイドローラに相対する除去ローラをラベル仮着面側に位置させる構成としてもよい。
【００３７】
また、作用手段は、除去ローラに代えて接着剤Ａの掻き取りバーや、ブラシ、液体塗布等の他の接触タイプの部材を用いることを妨げず、液体塗布の場合、化学反応を利用して接着剤Ａの接着力を低下若しくは無くすようなものも含む。更に、例えば、高圧の気体を噴射して除去したり、化学反応によって接着剤Ａの接着力を低下若しくは無くすような気体を吹き付けたり、紫外線や赤外線等のエネルギー線で接着剤Ａの接着力を低下若しくは無くすような非接触タイプの部材を用いてもよい。要するに、本発明は、回収される剥離シートＲＬが、その途中で絡みつく現象を回避することができるものであれば足りる。
【００３８】
また、前記除去ローラ３５は樹脂製のものに限らず、ゴム、金属、布、或いは紙等の材料で構成してもよく、回転方向は剥離シートＲＬの繰出方向に限らず、反繰出方向であってもよい。更に、除去ローラ３５の回転速度は、駆動ローラ３０の回転速度と同一としたり、それより早く設定することもでき、加えて、除去ローラ３５は駆動ローラ３０と独立して回転制御することなく、当該駆動ローラ３０の回転に追従して回転する簡易な構成としてもよい。
【００３９】
また、前記実施形態では、剥離シートＲＬにラベルＬが仮着された原反Ｒを適用したが、帯状の剥離シートＲＬ上に帯状のラベル基材を仮着した原反を適用することもできる。この場合、原反を繰り出す過程で適宜な切断装置による切り込みを形成し、当該切り込みで囲まれる内側領域をラベルとして剥離し、貼付することができる。
【図面の簡単な説明】
【００４０】
【図１】本実施形態に係るラベル貼付装置の概略正面図。
【図２】前記ラベル貼付装置の概略斜視図。
【図３】接着剤除去装置の拡大側面図。
【図４】接着剤を除去する際の動作説明図。
【図５】従来の不都合を説明するための動作説明図。
【符号の説明】
【００４１】
１０  ラベル貼付装置
１１  支持手段
１２  剥離手段
１４  繰出手段
１５  接着剤除去装置
１６  回収手段
３５  除去ローラ（作用手段）
３６  駆動手段
Ｌ  ラベル
Ｒ  原反
ＲＬ  剥離シート
Ｗ  被着体
【図１】
2008207837.tif 000003
【図２】
2008207837.tif 000004
【図３】
2008207837.tif 000005
【図４】
2008207837.tif 000006
【図５】
2008207837.tif 000007